(57)【要約】【課題】フレームメモリを用いずに動画擬似輪郭の発生を抑制することができるプラズマディスプレイ装置を提供する。【解決手段】１フレームが重み付けされたサステインパルス数を有する複数のサブフィールドからなり、各サブフィールドの点灯又は非点灯を選択することにより画像を階調表現するプラズマディスプレイ装置にて、プラズマディスプレイパネルにおける表示画面を複数に分割したブロック毎に、画像に係る入力データに基づいて表示負荷率を演算し、得られた各ブロックの表示負荷率を複数フレーム間で比較し、各ブロックの表示負荷率の変化に応じた階調表示方式を選択してフレーム単位で切り替えるようにして、画素毎に動き検出を行うことなく、表示負荷率の変化により画像における動き量を推定し適切な階調表現方式に切り替え、動画擬似輪郭の発生を抑制できるようにする。【選択図】図１
2010134365.tif 000002
【特許請求の範囲】
【請求項１】
プラズマディスプレイパネルを有するとともに、１フレームが重み付けされたサステインパルス数を有する複数のサブフィールドからなり、各サブフィールドの点灯又は非点灯を選択することにより画像を階調表現するプラズマディスプレイ装置であって、
前記プラズマディスプレイパネルにおける表示画面を複数に分割したブロック毎に、画像に係る入力データに基づいて表示負荷率を演算する負荷率演算部と、
前記負荷率演算部により得られた各ブロックの表示負荷率を複数フレーム間で比較し、各ブロックの表示負荷率の変化に応じて複数の階調表示方式のなかから１つの階調表示方式、または複数の階調表示方式を混在させた方式を選択してフレーム単位で切り替える制御部とを備え、前記複数の階調表示方式は、実表示階調数が互いに異なることを特徴とするプラズマディスプレイ装置。
【請求項２】
前記制御部は、複数フレーム間で前記各ブロックの表示負荷率を比較し表示負荷率の変化に応じて前記階調表示方式を選択する判定部と、
前記判定部での結果に従い前記入力データに係る階調表示方式を切り替える切り替え部とを備えることを特徴とする請求項１記載のプラズマディスプレイ装置。
【請求項３】
各階調表示方式で前記入力データを処理する複数の処理部を有し、
前記切り替え部は、前記判定部での結果に従って前記複数の処理部のなかの１つの処理部の出力を選択して出力することを特徴とする請求項２記載のプラズマディスプレイ装置。
【請求項４】
前記制御部は、複数フレーム間での前記各ブロックの表示負荷率の変化に対応して増減される指標値を有し、当該指標値に基づいて前記階調表示方式を選択することを特徴とする請求項１〜３の何れか１項に記載のプラズマディスプレイ装置。
【請求項５】
前記制御部は、
選択している階調表示方式における上限側の閾値より前記指標値が大きい場合には、当該階調表示方式より実表示階調数が少ない階調を選択するか、または実表示階調数が異なる複数の階調表示方式を混在させ、数フレーム間での平均により階調を表現する混在表示方式を選択し、
下限側の閾値より前記指標値が小さい場合には、当該階調表示方式より実表示階調数が多い階調表示方式を選択するか、または実表示階調数が異なり、前記混在表示方式と比べ、少なくとも一つの実階調が異なる複数の階調表示方式を混在させ、数フレーム間での平均により階調を表現する混在表示方式を選択することを特徴とする請求項４記載のプラズマディスプレイ装置。
【請求項６】
前記制御部は、フレーム間でのブロックの表示負荷率の差分が所定値以上のブロックの数に基づいて、前記ブロックの表示負荷率の変化を検出することを特徴とする請求項１〜５の何れか１項に記載のプラズマディスプレイ装置。
【請求項７】
前記制御部は、フレーム間でのブロックの表示負荷率の差分が所定値以上のブロックの当該差分の累積値に基づいて、前記ブロックの表示負荷率の変化を検出することを特徴とする請求項１〜５の何れか１項に記載のプラズマディスプレイ装置。
【請求項８】
前記負荷率演算部は、前記入力データのＲＧＢ成分毎に前記表示負荷率をブロック毎に演算し、
前記制御部は、色成分毎の各ブロックの表示負荷率の変化に応じて階調表示方式を選択することを特徴とする請求項１〜７の何れか１項に記載のプラズマディスプレイ装置。
【請求項９】
プラズマディスプレイパネルを有するとともに、１フレームが重み付けされたサステインパルス数を有する複数のサブフィールドからなり、各サブフィールドの点灯又は非点灯を選択することにより画像を階調表現するプラズマディスプレイ装置の制御方法であって、
前記プラズマディスプレイパネルにおける表示画面を複数に分割したブロック毎に、画像に係る入力データに基づいて表示負荷率を演算する負荷率演算ステップと、
得られた各ブロックの表示負荷率を複数フレーム間で比較し、各ブロックの表示負荷率の変化に応じて、実表示階調数が互いに異なる複数の階調表示方式のなかから１つの階調表示方式を選択してフレーム単位で切り替える制御ステップとを有することを特徴とするプラズマディスプレイ装置の制御方法。
【発明の詳細な説明】
【技術分野】
【０００１】
本発明は、プラズマディスプレイ装置及びその制御方法に関する。
【背景技術】
【０００２】
サブフィールド法を用いて階調表示を行うプラズマディスプレイ装置においては、人間の目の残像効果等により、表示画像の動きがある部分に、本来は存在しないはずの不自然な色の輪郭が発生する現象が生じることがある。一般に、この現象は、動画擬似輪郭と呼ばれ、画質の劣化を招く。
【０００３】
この動画擬似輪郭の発生を抑制するために、入力画像信号を基に動き検出を行って擬似輪郭の発生しやすい画素を判定し、通常はある程度の階調数が確保されたメインパスで画像信号を処理し、擬似輪郭の発生しやすい画素については、メインパスより実表示階調数が少ないサブパスで画像信号を処理すること等で、擬似輪郭の発生を低減する方法が提案されている（例えば、特許文献１参照。）。
【０００４】
【特許文献１】特開平１１−８５１０１号公報
【発明の開示】
【発明が解決しようとする課題】
【０００５】
ここで、従来、動き検出は、入力画像信号をフレーム遅延させ、画像信号に係るフレーム間の差分やエッジを検出することにより行われていた。そのため、動き検出を行う場合には、フレームメモリが必要となり、また、１ＴＶフィールド分の表示遅延が発生する。
【０００６】
本発明の目的は、フレームメモリを用いずに動画擬似輪郭の発生を抑制することができるプラズマディスプレイ装置及びその制御方法を提供することである。
【課題を解決するための手段】
【０００７】
本発明の一観点によれば、プラズマディスプレイパネルを有するとともに、１フレームが重み付けされたサステインパルス数を有する複数のサブフィールドからなり、各サブフィールドの点灯又は非点灯を選択することにより画像を階調表現するプラズマディスプレイ装置であって、前記プラズマディスプレイパネルにおける表示画面を複数に分割したブロック毎に、画像に係る入力データに基づいて表示負荷率を演算する負荷率演算部と、前記負荷率演算部により得られた各ブロックの表示負荷率を複数フレーム間で比較し、各ブロックの表示負荷率の変化に応じて複数の階調表示方式のなかから１つの階調表示方式、または複数の階調表示方式を混在させた方式を選択してフレーム単位で切り替える制御部とを備え、前記複数の階調表示方式は、実表示階調数が互いに異なるプラズマディスプレイ装置が提供される。
【発明の効果】
【０００８】
画素毎に動き検出を行うことなく、各ブロックにおける表示負荷率の変化により画像における動き量を推定し適切な階調表現方式に切り替えることができ、動画擬似輪郭の発生を抑制することができる。
【発明を実施するための最良の形態】
【０００９】
以下、本発明の実施形態を図面に基づいて説明する。
【００１０】
図１は、本発明の一実施形態におけるプラズマディスプレイ装置の構成例を示す図である。本実施形態におけるプラズマディスプレイ装置は、プラズマディスプレイパネル１、Ｘ駆動回路２、Ｙ駆動回路３、アドレス駆動回路４、及び制御回路５を有する。
【００１１】
Ｘ駆動回路２は、維持放電を繰り返す回路からなり、プラズマディスプレイパネル１に形成されたＸ電極（維持電極）Ｘ１、Ｘ２、…に所定の電圧を供給する。以下、Ｘ電極Ｘ１、Ｘ２、…の各々を又はそれらの総称を、Ｘ電極Ｘｉともいい、ｉは添え字を意味する。
【００１２】
Ｙ駆動回路３は、線順次走査して表示すべき行を選択する回路、及び維持放電を繰り返す回路からなり、プラズマディスプレイパネル１に形成されたＹ電極（走査電極）Ｙ１、Ｙ２、…に所定の電圧を供給する。以下、Ｙ電極Ｙ１、Ｙ２、…の各々を又はそれらの総称を、Ｙ電極Ｙｉともいい、ｉは添え字を意味する。
【００１３】
アドレス駆動回路４は、表示すべき列を選択する回路からなり、プラズマディスプレイパネル１に形成されたアドレス電極Ａ１、Ａ２、…に所定の電圧を供給する。以下、アドレス電極Ａ１、Ａ２、…の各々を又はそれらの総称を、アドレス電極Ａｊともいい、ｊは添え字を意味する。
【００１４】
制御回路５は、外部から入力される表示データ、クロック信号、水平同期信号、及び垂直同期信号等に基づいて制御信号を生成する。制御回路５は、生成した制御信号をＸ駆動回路２、Ｙ駆動回路３、及びアドレス駆動回路４に供給し、これら駆動回路２、３、４を制御する。
【００１５】
プラズマディスプレイパネル１では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置されて表示ラインを構成する。すなわち、Ｙ電極Ｙｉ及びＸ電極Ｘｉは互いに平行に配置されて、アドレス電極ＡｊはＹ電極Ｙｉ及びＸ電極Ｘｉに略垂直な方向に配置される。Ｙ電極Ｙｉ及びアドレス電極Ａｊは、ｉ行ｊ列の２次元行列を形成する。
【００１６】
セルＣｉｊは、Ｙ電極Ｙｉ及びアドレス電極Ａｊの交点並びにそれに対応して隣接するＸ電極Ｘｉにより形成される。このセルＣｉｊが、例えば赤色、緑色、青色のサブピクセルに対応し、これら３色のサブピクセルで１画素が構成される。パネル１は２次元配列された複数の画素の点灯により画像を表示する。Ｙ駆動回路３の線順次走査して表示すべき行を選択する回路とアドレス駆動回路４とによってどこのセルを点灯させるかを決め、Ｘ駆動回路２とＹ駆動回路３とによって繰り返し放電を行うことにより、プラズマディスプレイ装置での表示動作が行われる。
【００１７】
図２は、本実施形態におけるプラズマディスプレイパネル１の構成例を示す分解斜視図である。
【００１８】
前面ガラス基板１１上に、バス電極（金属電極）１２と透明電極１３からなる表示電極（サステイン電極ともいう。）が形成されている。表示電極（１２、１３）は、図１に示したＹ電極Ｙｉ及びＸ電極Ｘｉに対応する。表示電極（１２、１３）の上には、誘電体層１４が設けられ、さらにその上には、ＭｇＯ（酸化マグネシウム）保護層１５が設けられている。すなわち、前面ガラス基板１１に配置された表示電極（１２、１３）は、誘電体層１４に覆われており、さらにその表面がＭｇＯ保護層１５に覆われている。
【００１９】
前面ガラス基板１１と対向して配置された背面ガラス基板１６上に、表示電極（１２、１３）と直交する方向に（交差するように）アドレス電極１７Ｒ、１７Ｇ、１７Ｂが形成されている。アドレス電極１７Ｒ、１７Ｇ、１７Ｂは、図１に示したアドレス電極Ａｊに対応する。アドレス電極１７Ｒ、１７Ｇ、１７Ｂの上には、誘電体層１８が設けられる。
【００２０】
さらに誘電体層１８上には、格子状に配置された、すなわち放電空間をセル毎に区画する閉鎖型の隔壁（リブ）１９、及びカラー表示のための赤色（Ｒ）、緑色（Ｇ）、青色（Ｂ）の可視光を発光する蛍光体層ＰＲ、ＰＧ、ＰＢが形成されている。対をなす表示電極（１２、１３）間の面放電で生じる紫外線によって蛍光体層ＰＲ、ＰＧ、ＰＢを励起して各色が発光する。
【００２１】
隔壁１９は、アドレス電極１７Ｒ、１７Ｇ、１７Ｂが延びる方向に形成された縦隔壁（縦リブ）と、表示電極（１２、１３）が延びる方向に形成された横隔壁（横リブ）とからなる。すなわち、本実施形態におけるプラズマディスプレイパネル１は、閉鎖型隔壁構造を有する。
【００２２】
蛍光体層ＰＲ、ＰＧ、ＰＢは、アドレス電極１７Ｒの上方に赤色に発光する蛍光体層ＰＲが形成され、アドレス電極１７Ｇの上方に緑色に発光する蛍光体層ＰＧが形成され、アドレス電極１７Ｂの上方に青色に発光する蛍光体層ＰＢが形成されている。言い換えれば、セル対応の隔壁１９内面に塗布されている赤色、緑色、青色の蛍光体層ＰＲ、ＰＧ、ＰＢに対応するようにしてアドレス電極１７Ｒ、１７Ｇ、１７Ｂが配置されている。
【００２３】
プラズマディスプレイパネル１は、前面ガラス基板１１と背面ガラス基板１６を、保護層１５と隔壁１９が接するように封着し、その内部（前面ガラス基板１１と背面ガラス基板１６との間の放電空間）にＮｅ−Ｘｅ等の放電ガスを封入して構成される。
【００２４】
図３は、本実施形態におけるプラズマディスプレイ装置の駆動方法の一例を説明するための図である。１つのフィールドは、複数のサブフィールド（ＳＦ）から構成される。図３では作画の都合上、１つのフィールドが６個のサブフィールドＳＦ１、ＳＦ２、ＳＦ３、ＳＦ４、ＳＦ５、ＳＦ６からなる構成を図示しているが、通常は１０個〜１２個のサブフィールドからなる構成が一般的である。
【００２５】
各サブフィールドＳＦ１〜ＳＦ６は、リセット期間、アドレス期間、及びサステイン期間で構成される。リセット期間において電極上の壁電荷状態を初期化し、アドレス期間において表示データに基づいて壁電荷状態を調整して点灯させようとするセルを選択し、サステイン期間で表示データに対応したセルを点灯させる（表示データに応じて選択されたセルを放電発光させる）。
【００２６】
本実施形態におけるプラズマディスプレイ装置においては、１フィールドが重み付けされたサステインパルス数を有する複数のサブフィールドで構成され、その複数のサブフィールドのうちの点灯するサブフィールドのパターンを選択することにより画像を階調表現することができる。すなわち、サブフィールドＳＦ１〜ＳＦ６は、輝度の相対比率に応じた重み付けがなされ、どのサブフィールドＳＦ１〜ＳＦ６で点灯させるかを選択することにより、階調表現が実現される。
【００２７】
図４は、本実施形態における制御回路５の構成例を示す図である。図４においては、後述する動画擬似輪郭低減のための階調表示方式の切り替えに係る要素的特徴のみを図示している。本実施形態における制御回路５は、映像処理部３１、判定部３８、データ出力部３９、及び表示波形生成部４０を有する。
【００２８】
映像処理部３１は、第１処理部３２、第２処理部３３、第３処理部３４、第４処理部３５、切り替え部３６、及びブロック負荷率演算部３７を有する。各処理部３２〜３５は、それぞれ所定の階調表示方式に応じて入力データ（入力画像信号、表示データ）に処理を施す。各処理部３２〜３５の対応する階調表示方式は互いに異なり、例えば１つの画素において実際に表示できる階調数（実表示階調数）、言い換えればサブフィールドの点灯／非点灯の選択により１画素において表示可能な階調数が異なる。
【００２９】
本実施形態では、第１処理部３２は、処理部３２〜３５のなかで最も動画擬似輪郭が発生しやすい階調表現方式に対応しており、第２処理部３３は、第１処理部３２の階調表現方式よりも動画擬似輪郭が発生しにくい階調表現方式に対応しているものとする。また、第３処理部３４は、第２処理部３３の階調表現方式よりもさらに動画擬似輪郭が発生しにくい階調表現方式に対応しており、第４処理部３５は、処理部３２〜３５のなかで最も動画擬似輪郭が発生しにくい階調表現方式に対応しているものとする。
【００３０】
第１処理部３２は、静止画表示方式の点灯表（静止画表示パターン）を用いて階調表現を行うよう入力データを処理し、第２処理部３３は、第１の擬似輪郭低減方式の点灯表（擬似輪郭低減パターンＡ）を用いて階調表現を行うよう入力データを処理する。また、第３処理部３４は、第２の擬似輪郭低減方式の点灯表（擬似輪郭低減パターンＢ）を用いて階調表現を行うよう入力データを処理し、第４処理部３５は、動画表示方式の点灯表（動画表示パターン）を用いて階調表現を行うよう入力データを処理する。
【００３１】
例えば、動画表示パターンは実表示階調数が最も少なく、動画表示パターン、擬似輪郭低減パターンＢ、擬似輪郭低減パターンＡ、静止画表示パターンの順に実表示階調数が多くなっていく。図５に、本実施形態におけるプラズマディスプレイ装置の点灯表の一例を示す。図５には、静止画表示方式の点灯表を示している。図５に示す例では、各サブフィールドＳＦｎ（ｎは添え字であり、１〜８の整数）は２(n-1)の重みを有しており、サブフィールドの点灯／非点灯を選択する（点灯を“１”で示す）ことで２５６階調の実表示階調数が表現可能である。
【００３２】
また、図５においては、他の方式でどの点灯パターンが用いられるかの一例を○印によりあわせて示しており、Ｐ２が第１の擬似輪郭低減方式で用いられる点灯パターンを示し、Ｐ３が第２の擬似輪郭低減方式で用いられる点灯パターンを示し、Ｐ４が動画表示方式で用いられる点灯パターンを示している。なお、図５に示した点灯表は一例であって、これに限定されるものではない。また、各サブフィールドの重みも２(n-1)に限るものではない。
【００３３】
切り替え部３６は、判定部３８の判定結果に基づいて入力データに係る階調表現方式を切り替える。具体的には、切り替え部３６は、判定部３８の判定結果に応じて処理部３２〜３５のうち何れか１つの処理部の出力を選択し、データ出力部３９に供給する。
【００３４】
ブロック負荷率演算部３７は、入力データを基にフレーム（フィールド）毎の表示負荷率を演算する。ブロック負荷率演算部３７は、図６に一例を示すようにプラズマディスプレイパネル１の表示画面を複数のブロックに分割し、分割した各ブロック別に表示負荷率を演算する。以下、ブロック別に求められた表示負荷率をブロック負荷率とも称す。
【００３５】
図６には、表示画面を縦方向に１０分割し、横方向に１０分割して、画面全体を１０×１０のブロックＢＬａｂ（ａ，ｂは添え字であり、それぞれ０〜９の整数）に分割した例を示している。ブロック負荷率演算部３７は、ブロックＢＬａｂ毎に発光する画素数及びその発光する画素の階調値を基に表示負荷率を検出する。例えばブロックＢＬａｂ内の全画素を最大階調値で発光させる場合には表示負荷率が１００％である。また、例えばブロックＢＬａｂ内の全画素を最大階調値の１／２で発光させる場合には表示負荷率が５０％であり、ブロックＢＬａｂ内の半分の画素のみを最大階調値で発光させる場合には表示負荷率が５０％である。なお、図６は一例であって表示画面の分割数は縦方向及び横方向とも任意であり、縦方向の分割数と横方向の分割数とが異なっていても良い。
【００３６】
判定部３８は、ブロック負荷率演算部３７により得られた各ブロックの表示負荷率に基づいて、何れの階調表現方式で入力データを処理するか判定する。詳細には、判定部３８は、ブロック負荷率演算部３７により得られた表示負荷率とそれ以前のフレーム（フィールド）での表示負荷率とをブロック毎に比較し、表示負荷率の変化に応じて、どの階調表現方式で入力データを処理するか判定する。
【００３７】
次に、図５に示した制御回路５の動作について説明する。
制御回路５に入力データが入力されると、各処理部３２〜３５のそれぞれは、所定の階調表現方式に応じて入力データを処理する。また、ブロック負荷率演算部３７は、入力データから各ブロックの表示負荷率を求める。そして、判定部３８は、求められた表示負荷率とそれ以前のフレーム（フィールド）で求められた表示負荷率とをブロック毎に比較し、その変化に応じて適用する階調表現方式を判定し、切り替え部は、その判定結果に従い、処理部３２〜３５のうち何れか１つの処理部の出力を選択する。選択された処理部の出力は、データ出力部３９を介して表示波形生成部４０に供給され、それを基に表示波形生成部４０により各画素について点灯させるサブフィールドを選択するための制御信号が生成され出力される。
【００３８】
ここで、表示画面の分割したブロック単位で考えると、表示画像において動きのない部分が表示されるブロックは、フレーム間の表示負荷率の変化は小さい。それに対して、表示画像において動きのある部分が表示されるブロックは、通常、動きに対応して各フレームでの表示負荷率が変動するのでフレーム間の表示負荷率の変化は大きくなる傾向がある。つまり、表示画像における動きに対応してブロックの表示負荷率が変化すると考えられる。
【００３９】
そこで、本実施形態では、画素毎に動き検出を行うことなく、各ブロックにおける表示負荷率の変化に基づいて表示画像における動き量を推定し、それに応じて入力データの表示に係る階調表現方式を切り替える。これにより、フレームメモリを用いることなく表示画像における動き量を推定し、推定される動きに応じた階調表現方式で入力データを処理することができ、画質劣化を抑制しながらも動画擬似輪郭の発生を低減させることができる。また、入力データをフレーム遅延させて処理する必要もないので、表示遅延も抑制することができる。
【００４０】
なお、各階調表現方式での実表示階調数のみでは、入力データに係る階調が表現できない場合には、いわゆる誤差拡散処理やディザ処理を適用し中間調を生成するようにすれば良い。また、上述した制御回路５での処理は、入力データにおけるＲＧＢの各成分毎に行うようにしても良い。
【００４１】
ここで、プラズマディスプレイパネルの熱破壊や焼付を防止するために、制御回路に図７に示すような構成を有するプラズマディスプレイ装置が提案されている。
図７に示す制御回路は、表示負荷率演算部５１、サステインパルス数演算部５２、ブロック負荷率演算部５３、表示負荷率分散値演算部５４、サステインパルス数制御部５５、及びサステインパルス数テーブル５６などから構成される。この制御回路には、プラズマディスプレイパネルにおける入力データが入力され、各機能部により検出・演算・制御が行われ、そしてＸ駆動回路２及びＹ駆動回路３に対するサステイン周波数（ｆＳＵＳ）が出力される。
【００４２】
例えば、表示負荷率演算部５１及びブロック負荷率演算部５３はハードウェアで実現され、サステインパルス数演算部５２、表示負荷率分散値演算部５４、及びサステインパルス数制御部５５はＣＰＵによるソフトウェアで実現される。また、サステインパルス数テーブル５６はＣＰＵからアクセス可能なメモリ上に設けられ、表示負荷率とサステインパルス数との対応表である。
【００４３】
表示負荷率演算部５１は、プラズマディスプレイパネルにおける入力データを入力として、入力データの表示負荷率を検出する。この表示負荷率とは、画面のセルの総数に対する点灯すべきセルの割合を示す値である。
【００４４】
サステインパルス数演算部５２は、表示負荷率演算部５１で検出された表示負荷率と、サステインパルス数テーブル５６の値を入力として、表示負荷率とサステインパルス数テーブル５６の表示負荷率とサステインパルス数との関係に基づいてプラズマディスプレイパネルに印加するサステインパルス数を演算する。それと共に、サステインパルス数演算部５２は、サステインパルス数制御部５５からの制御信号も入力として、表示負荷率とサステインパルス数との関係に基づく演算により決定されたサステインパルス数をサステインパルス数制御部５５から入力される制御信号に基づいて演算する機能も備えている。このサステインパルス数演算部５２で演算されたサステインパルス数は、プラズマディスプレイパネルに印加するサステイン周波数（ｆＳＵＳ）として出力され、サステインパルス数が各サブフィールドの重みの比になるように分割される。
【００４５】
ブロック負荷率演算部５３は、入力データを入力として、入力データの表示負荷率を図６に示したようなブロック別に検出する。
表示負荷率分散値演算部５４は、表示負荷率演算部５１で検出された入力データの画面全体の表示負荷率と、ブロック負荷率演算部５３で検出されたブロック別の表示負荷率とを入力として、入力データの画面全体の表示負荷率とブロック別の表示負荷率との差を分散値として分割したブロックの数だけ加算していく。
【００４６】
サステインパルス数制御部５５は、表示負荷率分散値演算部５４で演算された分散値を入力として、分散値が第１の値を超えた場合、又は第１の値と第１の値より大きい第２の値との範囲内である場合に、表示負荷率演算部５１により入力データから検出された表示負荷率によって決定された、プラズマディスプレイパネルに印加するサステインパルス数を減少させるように制御する。このサステインパルス数制御部５５からの制御信号は、サステインパルス数演算部５２に入力される。
【００４７】
以上のように構成される図７に示す制御回路において、プラズマディスプレイパネルの駆動を制御する場合には、以下の手順で行われる。
まず、ブロック負荷率演算部５３で、プラズマディスプレイパネルにおける入力データの表示負荷率を分割したブロック別に検出する。この場合に、表示負荷率演算部５１でも、入力データの画面全体の表示負荷率を検出する。さらに、表示負荷率分散値演算部５４で、表示負荷率演算部５１で検出された入力データの画面全体の表示負荷率と、ブロック負荷率演算部５３で検出されたブロック別の表示負荷率との差を分散値として分割したブロックの数だけ加算していく。
【００４８】
そして、サステインパルス数制御部５５で、表示負荷率分散値演算部５４で演算された分散値が第１の値を超えた場合、又は第１の値と第２の値との範囲内である場合に、表示負荷率演算部５１により検出された表示負荷率によって決定された、プラズマディスプレイパネルに印加するサステインパルス数を減少させるように制御する。このサステインパルス数制御部５５からの制御信号に基づいて、サステインパルス数演算部５２で、表示負荷率演算部５１により検出された表示負荷率とサステインパルス数テーブル５６の表示負荷率とサステインパルス数との関係に基づく演算により決定されたサステインパルス数を、プラズマディスプレイパネルに印加するサステイン周波数（ｆＳＵＳ）として出力する。このように分散値が第１の値を超えた場合、又は第１の値と第２の値との範囲内である場合に、サステインパルス数を減少させるように制御することで、負荷集中によってパネル管面が過熱することを防止し、プラズマディスプレイパネルの熱破壊や焼付を防止する。
【００４９】
この図７に示した制御回路を有するプラズマディスプレイ装置に対して、図４に示した本実施形態における制御回路５を適用して階調表現方式の切り替えを実現する場合には、図４に示したブロック負荷率演算部３７を新たに設けることなく、図７に示したブロック負荷率演算部５３からブロック毎の表示負荷率を得ることで階調表現方式の切り替えを行うことができる。すなわち、プラズマディスプレイパネルの熱破壊や焼付を防止するための処理と、動画擬似輪郭の発生を低減するための処理とを、１つのブロック負荷率演算部を共用して実現することができ、各処理を実現するためのコストを低減することができる。
【００５０】
以下に、本発明の実施形態における階調表現方式の切り替え処理について説明する。
なお、以下の説明において、第１動作は、階調表現力は優れているが、表示画像において動きがある場合に動画擬似輪郭が発生しやすい階調表現方式で入力データを処理する動作である。また、第２動作は、表示画像において動きがある場合に第１動作よりも動画擬似輪郭の発生が低減される（第１動作の実表示階調数よりも実表示階調数が少ない、または実表示階調数が異なる複数の階調表示方式が混在する）階調表現方式で入力データを処理する動作であり、第３動作は、表示画像において動きがある場合に第２動作よりも動画擬似輪郭の発生が低減される（第２動作の実表示階調数よりもさらに実表示階調数が少ない、または第２動作と比べ、少なくとも一つの実階調が異なる複数の階調表示方式を混在させ、数フレーム間での平均により階調を表現する混在表示方式を選択する）階調表現方式で入力データを処理する動作である。また、第４動作は、表示画像において動きがある場合に第３動作よりも動画擬似輪郭の発生が低減される（第３動作の実表示階調数よりもさらに実表示階調数が少ない、または第３動作と比べ、少なくとも一つの実階調が異なる複数の階調表示方式を混在させ、数フレーム間での平均により階調を表現する混在表示方式を選択する）階調表現方式で入力データを処理する動作である。
【００５１】
例えば、図４に示した例を参照すれば、第１動作は、第１処理部３２での処理を選択する（切り替え部３６により第１処理部３２の出力が選択される）場合に対応し、第２動作は、第２処理部３３での処理を選択する（切り替え部３６により第２処理部３３の出力が選択される）場合に対応する。同様に、第３動作は、第３処理部３４での処理を選択する（切り替え部３６により第３処理部３４の出力が選択される）場合に対応し、第４動作は、第４処理部３５での処理を選択する（切り替え部３６により第４処理部３５の出力が選択される）場合に対応する。
【００５２】
また、以下の説明において、累積カウント数及びＶカウント数は、フレーム毎に初期化されるカウント数ではなく、複数のフレームにわたって累積されるカウント数であって、所定のタイミング（例えば、プラズマディスプレイ装置の起動時や供給される入力データのソース切り替え時等）に初期化される。また、累積カウント数は、負の値ともなり得るが、Ｖカウント数は、負の値となることはなく０以上の値である。
【００５３】
（第１の実施形態）
第１の実施形態における階調表現方式の切り替え処理について、図８及び図９を参照して説明する。
【００５４】
図８に示すように、まず、判定部３８は、Ｎフレーム目の入力データを基にブロック負荷率演算部３７により求められたＮフレームの各ブロックにおける表示負荷率（ブロック負荷率）を読み込む（Ｓ１０１）。なお、ブロック負荷率演算部３７により求めた各ブロックの表示負荷率は、ブロック負荷率演算部３７や判定部３８の内部に保持しておくようにしても良いし、図示しないメモリ等の記憶部に保持しておくようにしても良い。
【００５５】
次に、判定部３８は、表示画面におけるｎ番目のブロックに係るＮフレームの表示負荷率と１つの前の（Ｎ−１）フレームの表示負荷率とを比較し（Ｓ１０２）、その差分が閾値ＴＡ以上であるか否かを判定する（Ｓ１０３）。判定の結果、ｎ番目のブロックに係るＮフレームの表示負荷率と（Ｎ−１）フレームの表示負荷率との差分が閾値ＴＡ以上である場合には（Ｓ１０３のＹＥＳ）、判定部３８は、フレーム内カウント数に所定値ＶＳを加算し（Ｓ１０４）、閾値ＴＡ以上でない場合には（Ｓ１０３のＮＯ）、フレーム内カウント数を保持する。なお、ｎの値及びフレーム内カウント数は、処理開始時において初期化されており、対象フレームの切り替え時にリセットされる。
【００５６】
次に、判定部３８は、表示画面の全ブロックについてＮフレームの表示負荷率と（Ｎ−１）フレームの表示負荷率との比較処理が終了したか否かを判断し（Ｓ１０５）、終了していない場合には（Ｓ１０５のＮＯ）、ｎの値を１インクリメントし（Ｓ１０６）、上述したステップＳ１０２に戻る。一方、全ブロックについて比較処理が終了した場合には（Ｓ１０５のＹＥＳ）、図９に示すステップＳ１２１に進む。
【００５７】
図９に示すステップＳ１２１では、判定部３８は、フレーム内カウント数を取り込み、取り込んだフレーム内カウント数と閾値ＴＸ、ＴＹ、ＴＺとの比較を行う（Ｓ１２２、Ｓ１２４、Ｓ１２６）。ここで、閾値ＴＸ、ＴＹ、ＴＺは、ＴＸ＜ＴＹ＜ＴＺの関係を満たすように設定されている。
【００５８】
その比較の結果、フレーム内カウント数が閾値ＴＸ未満である場合には（Ｓ１２２のＮＯ）、判定部３８は、第１動作が実行されるよう制御する（Ｓ１２３）。言い換えれば、判定部３８は、データ出力部３９に第１処理部３２の出力が選択されて出力されるよう切り替え部３６を制御する。また、フレーム内カウント数が閾値ＴＸ以上かつ閾値ＴＹ未満である場合には（Ｓ１２４のＮＯ）、判定部３８は、第２動作が実行されるよう、すなわちデータ出力部３９に第２処理部３３の出力が選択されて出力されるよう切り替え部３６を制御する（Ｓ１２５）。また、フレーム内カウント数が閾値ＴＹ以上かつ閾値ＴＺ未満である場合には（Ｓ１２６のＮＯ）、判定部３８は、第３動作が実行されるよう、すなわちデータ出力部３９に第３処理部３４の出力が選択されて出力されるよう切り替え部３６を制御する（Ｓ１２７）。また、フレーム内カウント数が閾値ＴＺ以上である場合には（Ｓ１２６のＹＥＳ）、判定部３８は、第４動作が実行されるよう、すなわちデータ出力部３９に第４処理部３５の出力が選択されて出力されるよう切り替え部３６を制御する（Ｓ１２８）。
【００５９】
第１の実施形態によれば、Ｎフレームの表示負荷率と（Ｎ−１）フレームの表示負荷率とをブロック毎に比較し、その差分が閾値ＴＡ以上の場合にはフレーム内カウント数をＶＳ増加させる。そして、フレーム内カウント数、言い換えればフレーム間の表示負荷率の差分が閾値ＴＡ以上のブロック数に応じて、適切な階調表現方式を選択し、入力データに係る処理が行われる。これにより、フレーム内カウント数（フレーム間の表示負荷率の差分が閾値ＴＡ以上のブロック数）が大きいほど動画擬似輪郭の発生する可能性が高いと判断し、動画擬似輪郭の発生しにくい階調表現方式で入力データに係る処理が行われるので、各ブロックの表示負荷率の変化に応じて速やかに適切な階調表現方式に切り替え、動画指示輪郭の発生を低減することができる。
【００６０】
（第２の実施形態）
次に、第２の実施形態における階調表現方式の切り替え処理について、図８及び図１０を参照して説明する。
【００６１】
第１の実施形態と同様に、図８に示すようにして、表示画面の全ブロックについてＮフレームの表示負荷率と（Ｎ−１）フレームの表示負荷率との比較処理を行い、全ブロックについて比較処理が終了すると（Ｓ１０５のＹＥＳ）、図１０に示すステップＳ１４１に進む。
【００６２】
図１０に示すステップＳ１４１では、判定部３８は、フレーム内カウント数を取り込み、続いて、取り込んだフレーム内カウント数が閾値ＴＷ以上であるか否かを判定する（Ｓ１４２）。判定の結果、フレーム内カウント数が閾値ＴＷ以上でない場合には（Ｓ１４２のＮＯ）、判定部３８は、前フレームからの累積カウント数から所定値ＶＱを減算し（Ｓ１４３）、閾値ＴＷ以上である場合には（Ｓ１４２のＹＥＳ）、累積カウント数に所定値ＶＲを加算する（Ｓ１４４）。
【００６３】
次に、判定部３８は、累積カウント数と閾値ＴＸ、ＴＹ、ＴＺとの比較を行う（Ｓ１４５、Ｓ１４７、Ｓ１４９）。ここで、閾値ＴＸ、ＴＹ、ＴＺは、ＴＸ＜ＴＹ＜ＴＺの関係を満たすように設定されている。
【００６４】
その比較の結果、累積カウント数が閾値ＴＸ未満である場合には（Ｓ１４５のＮＯ）、判定部３８は、第１動作が実行されるよう、すなわちデータ出力部３９に第１処理部３２の出力が選択されて出力されるよう切り替え部３６を制御する（Ｓ１４６）。また、累積カウント数が閾値ＴＸ以上かつ閾値ＴＹ未満である場合には（Ｓ１４７のＮＯ）、判定部３８は、第２動作が実行されるよう、すなわちデータ出力部３９に第２処理部３３の出力が選択されて出力されるよう切り替え部３６を制御する（Ｓ１４８）。また、累積カウント数が閾値ＴＹ以上かつ閾値ＴＺ未満である場合には（Ｓ１４９のＮＯ）、判定部３８は、第３動作が実行されるよう、すなわちデータ出力部３９に第３処理部３４の出力が選択されて出力されるよう切り替え部３６を制御する（Ｓ１５０）。また、累積カウント数が閾値ＴＺ以上である場合には（Ｓ１４９のＹＥＳ）、判定部３８は、第４動作が実行されるよう、すなわちデータ出力部３９に第４処理部３５の出力が選択されて出力されるよう切り替え部３６を制御する（Ｓ１５１）。
【００６５】
第２の実施形態によれば、Ｎフレームの表示負荷率と（Ｎ−１）フレームの表示負荷率とをブロック毎に比較し、その差分が閾値ＴＡ以上の場合にはフレーム内カウント数をＶＳ増加させる。そして、フレーム内カウント数（フレーム間の表示負荷率の差分が閾値ＴＡ以上のブロック数）に応じて累積カウント数を増減し、累積カウント数に応じて適切な階調表現方式を選択し、入力データに係る処理が行われる。これにより、複数のフレームにわたるブロックの表示負荷率の変化を考慮し、表示負荷率の変化に応じて適切な階調表現方式に切り替え、動画指示輪郭の発生を低減することができる。
【００６６】
（第３の実施形態）
次に、第３の実施形態における階調表現方式の切り替え処理について、図１１及び図１２を参照して説明する。
【００６７】
図１１に示すように、まず、判定部３８は、Ｎフレーム目の入力データを基にブロック負荷率演算部３７により求められたＮフレームの各ブロックにおける表示負荷率を読み込む（Ｓ１６１）。なお、ブロック負荷率演算部３７により求めた各ブロックの表示負荷率は、ブロック負荷率演算部３７や判定部３８の内部に保持しておくようにしても良いし、図示しないメモリ等の記憶部に保持しておくようにしても良い。
【００６８】
次に、判定部３８は、表示画面におけるｎ番目のブロックに係るＮフレームの表示負荷率と１つの前の（Ｎ−１）フレームの表示負荷率とを比較し（Ｓ１６２）、その差分が閾値ＴＡ以上であるか否かを判定する（Ｓ１６３）。判定の結果、ｎ番目のブロックに係るＮフレームの表示負荷率と（Ｎ−１）フレームの表示負荷率との差分が閾値ＴＡ以上である場合には（Ｓ１６３のＹＥＳ）、判定部３８は、累積差分値に値ＶＳを加算し（Ｓ１６４）、閾値ＴＡ以上でない場合には（Ｓ１６３のＮＯ）、累積差分値を保持する。なお、ｎの値及び累積差分値は、処理開始時において初期化されており、対象フレームの切り替え時にリセットされる。また、値ＶＳは、固定値であっても良いが、フレーム間の表示負荷率の差分値であっても良いし、差分に応じた値であっても良い。
【００６９】
次に、判定部３８は、表示画面の全ブロックについてＮフレームの表示負荷率と（Ｎ−１）フレームの表示負荷率との比較処理が終了したか否かを判断し（Ｓ１６５）、終了していない場合には（Ｓ１６５のＮＯ）、ｎの値を１インクリメントし（Ｓ１６６）、上述したステップＳ１６２に戻る。一方、全ブロックについて比較処理が終了した場合には（Ｓ１６５のＹＥＳ）、図１２に示すステップＳ１８１に進む。
【００７０】
図１２に示すステップＳ１８１では、判定部３８は、累積差分値を取り込み、続いて、取り込んだ累積差分値が閾値ＴＷ以上であるか否かを判定する（Ｓ１８２）。判定の結果、累積差分値が閾値ＴＷ以上でない場合には（Ｓ１８２のＮＯ）、判定部３８は、前フレームからの累積カウント数から所定値ＶＱを減算し（Ｓ１８３）、閾値ＴＷ以上である場合には（Ｓ１８２のＹＥＳ）、累積カウント数に所定値ＶＲを加算する（１８４）。
【００７１】
次に、判定部３８は、累積カウント数と閾値ＴＸ、ＴＹ、ＴＺとの比較を行う（Ｓ１８５、Ｓ１８７、Ｓ１８９）。ここで、閾値ＴＸ、ＴＹ、ＴＺは、ＴＸ＜ＴＹ＜ＴＺの関係を満たすように設定されている。
【００７２】
その比較の結果、判定部３８は、累積カウント数が閾値ＴＸ未満である場合には（Ｓ１８５のＮＯ）、第１動作が実行されるよう制御し（Ｓ１８６）、累積カウント数が閾値ＴＸ以上かつ閾値ＴＹ未満である場合には（Ｓ１８７のＮＯ）、第２動作が実行されるよう制御する（Ｓ１８８）。また、累積カウント数が閾値ＴＹ以上かつ閾値ＴＺ未満である場合には（Ｓ１８９のＮＯ）、第３動作が実行されるよう制御し（Ｓ１９０）、累積カウント数が閾値ＴＺ以上である場合には（Ｓ１８９のＹＥＳ）、第４動作が実行されるよう制御する（Ｓ１９１）。
【００７３】
第３の実施形態によれば、Ｎフレームの表示負荷率と（Ｎ−１）フレームの表示負荷率とをブロック毎に比較し、その差分が閾値ＴＡ以上の場合には累積差分値をＶＳ増加させる。そして、累積差分値に応じて累積カウント数を増減し、累積カウント数に応じて適切な階調表現方式を選択し、入力データに係る処理が行われる。これにより、複数のフレームにわたるブロックの表示負荷率の変化を考慮し、表示負荷率の変化に応じて適切な階調表現方式に切り替え、動画指示輪郭の発生を低減することができる。
【００７４】
（第４の実施形態）
次に、第４の実施形態における階調表現方式の切り替え処理について、図８及び図１３を参照して説明する。
【００７５】
第１の実施形態と同様に、図８に示すようにして、表示画面の全ブロックについてＮフレームの表示負荷率と（Ｎ−１）フレームの表示負荷率との比較処理を行い、全ブロックについて比較処理が終了すると（Ｓ１０５のＹＥＳ）、図１３に示すステップＳ２０１に進む。
【００７６】
図１３に示すステップＳ２０１では、判定部３８は、フレーム内カウント数を取り込み、続いて、取り込んだフレーム内カウント数が閾値ＴＷ以上であるか否かを判定する（Ｓ２０２）。判定の結果、フレーム内カウント数が閾値ＴＷ以上でない場合には（Ｓ２０２のＮＯ）、判定部３８は、Ｖカウント数から所定値ＶＱを減算し（Ｓ２０３）、閾値ＴＷ以上である場合には（Ｓ２０２のＹＥＳ）、Ｖカウント数に所定値ＶＲを加算する（Ｓ２０４）。なお、ステップＳ２０３において、Ｖカウント数から所定値ＶＱを減算する際、減算前のＶカウント数がＶＱ以下である場合には、Ｖカウント数を０にする。
【００７７】
次に、判定部３８は、Ｖカウント数と閾値ＴＸ、ＴＹ、ＴＺとの比較を行う（Ｓ２０５、Ｓ２０７、Ｓ２０９）。ここで、閾値ＴＸ、ＴＹ、ＴＺは、ＴＸ＜ＴＹ＜ＴＺの関係を満たすように設定されている。
【００７８】
その比較の結果、判定部３８は、Ｖカウント数が閾値ＴＸ未満である場合には（Ｓ２０５のＮＯ）、第１動作が実行されるよう制御し（Ｓ２０６）、Ｖカウント数が閾値ＴＸ以上かつ閾値ＴＹ未満である場合には（Ｓ２０７のＮＯ）、第２動作が実行されるよう制御する（Ｓ２０８）。また、Ｖカウント数が閾値ＴＹ以上かつ閾値ＴＺ未満である場合には（Ｓ２０９のＮＯ）、第３動作が実行されるよう制御し（Ｓ２１０）、Ｖカウント数が閾値ＴＺ以上である場合には（Ｓ２０９のＹＥＳ）、第４動作が実行されるよう制御する（Ｓ２１１）。
【００７９】
第４の実施形態によれば、第２の実施形態と同様に、複数のフレームにわたるブロックの表示負荷率の変化を考慮し、表示負荷率の変化に応じて適切な階調表現方式に切り替え、動画指示輪郭の発生を低減することができる。また、例えば、静止画のようなブロックの表示負荷率の変化の小さい画像が継続的に入力された後、ブロックの表示負荷率の変化が大きい画像が入力された場合であっても、速やかに動画指示輪郭が発生しにくい階調表現方式に切り替えることができる。
【００８０】
（第５の実施形態）
次に、第５の実施形態における階調表現方式の切り替え処理について、図１４及び図１３を参照して説明する。
【００８１】
図１４に示すように、まず、判定部３８は、Ｎフレーム目の入力データを基にブロック負荷率演算部３７により求められたＮフレームの各ブロックにおける表示負荷率を読み込む（Ｓ２２１）。なお、ブロック負荷率演算部３７により求めた各ブロックの表示負荷率は、ブロック負荷率演算部３７や判定部３８の内部に保持しておくようにしても良いし、図示しないメモリ等の記憶部に保持しておくようにしても良い。
【００８２】
次に、判定部３８は、表示画面におけるｎ番目のブロックに係るＮフレームの表示負荷率と１つの前の（Ｎ−１）フレームの表示負荷率とを比較し（Ｓ２２２）、その差分が閾値ＴＡ以上であるか否かを判定する（Ｓ２２３）。判定の結果、ｎ番目のブロックに係るＮフレームの表示負荷率と（Ｎ−１）フレームの表示負荷率との差分が閾値ＴＡ以上である場合には（Ｓ２２３のＹＥＳ）、判定部３８は、フレーム内カウント数に所定値ＶＳを加算し（Ｓ２２８）、ステップＳ２２９に進む。
【００８３】
一方、ｎ番目のブロックに係るＮフレームの表示負荷率と（Ｎ−１）フレームの表示負荷率との差分が閾値ＴＡ以上でない場合には（Ｓ２２３のＮＯ）、判定部３８は、表示画面におけるｎ番目のブロックに係るＮフレームの表示負荷率と２つの前の（Ｎ−２）フレームの表示負荷率とを比較し（Ｓ２２４）、その差分が閾値ＴＢ以上であるか否かを判定する（Ｓ２２５）。判定の結果、ｎ番目のブロックに係るＮフレームの表示負荷率と（Ｎ−２）フレームの表示負荷率との差分が閾値ＴＢ以上である場合には（Ｓ２２５のＹＥＳ）、判定部３８は、フレーム内カウント数に所定値ＶＳを加算し（Ｓ２２８）、ステップＳ２２９に進む。
【００８４】
一方、ｎ番目のブロックに係るＮフレームの表示負荷率と（Ｎ−２）フレームの表示負荷率との差分が閾値ＴＢ以上でない場合には（Ｓ２２５のＮＯ）、判定部３８は、表示画面におけるｎ番目のブロックに係るＮフレームの表示負荷率と３つの前の（Ｎ−３）フレームの表示負荷率とを比較し（Ｓ２２６）、その差分が閾値ＴＣ以上であるか否かを判定する（Ｓ２２７）。判定の結果、ｎ番目のブロックに係るＮフレームの表示負荷率と（Ｎ−３）フレームの表示負荷率との差分が閾値ＴＣ以上である場合には（Ｓ２２７のＹＥＳ）、判定部３８は、フレーム内カウント数に所定値ＶＳを加算し（Ｓ２２８）、ステップＳ２２９に進む。
【００８５】
一方、ｎ番目のブロックに係るＮフレームの表示負荷率と（Ｎ−３）フレームの表示負荷率との差分が閾値ＴＣ以上でない場合には（Ｓ２２７のＮＯ）、ステップＳ２２９に進む。なお、ｎの値及びフレーム内カウント数は、処理開始時において初期化されており、対象フレームの切り替え時にリセットされる。
【００８６】
次に、判定部３８は、表示画面の全ブロックについて上述したフレーム間の表示負荷率の比較処理が終了したか否かを判断し（Ｓ２２９）、終了していない場合には（Ｓ２２９のＮＯ）、ｎの値を１インクリメントし（Ｓ２３０）、上述したステップＳ２２２に戻る。一方、全ブロックについて比較処理が終了した場合には（Ｓ２２９のＹＥＳ）、図１３に示すステップＳ２０１に進む。
【００８７】
以降、第４の実施形態と同様に、図１３に示すようにして、判定部３８は、フレーム内カウント数に応じてＶカウント数を増減し、Ｖカウント数に応じた動作が実行されるよう制御する。
【００８８】
第５の実施形態によれば、複数のフレーム間のブロックの表示負荷率の変化を考慮し、表示負荷率の変化に応じて適切な階調表現方式に切り替え、動画指示輪郭の発生を低減することができる。また、例えば、静止画のようなブロックの表示負荷率の変化の小さい画像が継続的に入力された後、ブロックの表示負荷率の変化が大きい画像が入力された場合であっても、速やかに動画指示輪郭が発生しにくい階調表現方式に切り替えることができる。
【００８９】
（第６の実施形態）
次に、第６の実施形態における階調表現方式の切り替え処理について、図１４及び図１０を参照して説明する。
【００９０】
第６の実施形態における階調表現方式の切り替え処理では、第５の実施形態と同様に、図１４に示すようにして、表示画面の全ブロックについてフレーム間の表示負荷率の比較処理を行い、全ブロックについて比較処理が終了すると（Ｓ２２９のＹＥＳ）、図１０に示すステップＳ１４１に進む。そして、第２の実施形態と同様に、図１０に示すようにして、判定部３８は、フレーム内カウント数に応じて累積カウント数を増減し、累積カウント数に応じた動作が実行されるよう制御する。
【００９１】
第６の実施形態によれば、第２の実施形態と同様に、複数のフレームにわたるブロックの表示負荷率の変化を考慮し、表示負荷率の変化に応じて適切な階調表現方式に切り替え、動画指示輪郭の発生を低減することができる。
【００９２】
（第７の実施形態）
次に、第７の実施形態における階調表現方式の切り替え処理について、図１５及び図１３を参照して説明する。
【００９３】
図１５に示すように、まず、判定部３８は、Ｎフレーム目の入力データを基にブロック負荷率演算部３７により求められたＮフレームの各ブロックにおける表示負荷率を読み込む（Ｓ２４１）。なお、ブロック負荷率演算部３７により求めた各ブロックの表示負荷率は、ブロック負荷率演算部３７や判定部３８の内部に保持しておくようにしても良いし、図示しないメモリ等の記憶部に保持しておくようにしても良い。
【００９４】
次に、判定部３８は、表示画面におけるｎ番目のブロックに係るＮフレームの表示負荷率と１つの前の（Ｎ−１）フレームの表示負荷率とを比較し（Ｓ２４２）、その差分が閾値ＴＡ以上であるか否かを判定する（Ｓ２４３）。判定の結果、ｎ番目のブロックに係るＮフレームの表示負荷率と（Ｎ−１）フレームの表示負荷率との差分が閾値ＴＡ以上である場合には（Ｓ２４３のＹＥＳ）、判定部３８は、第１のフレーム内カウント数に所定値ＶＪを加算し（Ｓ２４４）、閾値ＴＡ以上でない場合には（Ｓ２４３のＮＯ）、第１のフレーム内カウント数を保持する。
【００９５】
次に、判定部３８は、表示画面におけるｎ番目のブロックに係るＮフレームの表示負荷率と２つの前の（Ｎ−２）フレームの表示負荷率とを比較し（Ｓ２４５）、その差分が閾値ＴＢ以上であるか否かを判定する（Ｓ２４６）。判定の結果、ｎ番目のブロックに係るＮフレームの表示負荷率と（Ｎ−２）フレームの表示負荷率との差分が閾値ＴＢ以上である場合には（Ｓ２４６のＹＥＳ）、判定部３８は、第２のフレーム内カウント数に所定値ＶＫを加算し（Ｓ２４７）、閾値ＴＢ以上でない場合には（Ｓ２４６のＮＯ）、第２のフレーム内カウント数を保持する。
【００９６】
次に、判定部３８は、表示画面におけるｎ番目のブロックに係るＮフレームの表示負荷率と３つの前の（Ｎ−３）フレームの表示負荷率とを比較し（Ｓ２４８）、その差分が閾値ＴＣ以上であるか否かを判定する（Ｓ２４９）。判定の結果、ｎ番目のブロックに係るＮフレームの表示負荷率と（Ｎ−３）フレームの表示負荷率との差分が閾値ＴＣ以上である場合には（Ｓ２４９のＹＥＳ）、判定部３８は、第３のフレーム内カウント数に所定値ＶＬを加算し（Ｓ２５０）、閾値ＴＣ以上でない場合には（Ｓ２４９のＮＯ）、第３のフレーム内カウント数を保持する。
【００９７】
次に、判定部３８は、表示画面の全ブロックについて上述したフレーム間の表示負荷率の比較処理が終了したか否かを判断し（Ｓ２５１）、終了していない場合には（Ｓ２５１のＮＯ）、ｎの値を１インクリメントし（Ｓ２５２）、上述したステップＳ２４２に戻る。一方、全ブロックについて比較処理が終了した場合には（Ｓ２５１のＹＥＳ）、図１３に示すステップＳ２０１に進む。なお、ｎの値及び第１〜第３のフレーム内カウント数は、処理開始時において初期化されており、対象フレームの切り替え時にリセットされる。
【００９８】
以降、第４の実施形態と同様に、図１３に示すようにして、判定部３８は、フレーム内カウント数に応じてＶカウント数を増減し、Ｖカウント数に応じた動作が実行されるよう制御する。ここで、本実施形態では、第１〜第３のフレーム内カウント数に対応するようにして第１〜第３のＶカウント数があり、第１〜第３のフレーム内カウント数のそれぞれを読み込んで図１３に示した処理が行われる。また、Ｖカウント数と閾値ＴＸ、ＴＹ、ＴＺとの比較は、第１〜第３のＶカウント数のなかの最大値と閾値ＴＸ、ＴＹ、ＴＺとの比較を行う。
【００９９】
第７の実施形態によれば、複数のフレームにわたるブロックの表示負荷率の変化を考慮し、表示負荷率の変化に応じて適切な階調表現方式に切り替え、動画指示輪郭の発生を低減することができる。
【０１００】
（第８の実施形態）
次に、第８の実施形態における階調表現方式の切り替え処理について、図１５及び図１０を参照して説明する。
【０１０１】
第８の実施形態における階調表現方式の切り替え処理では、第７の実施形態と同様に、図１５に示すようにして、表示画面の全ブロックについてフレーム間の表示負荷率の比較処理を行い、全ブロックについて比較処理が終了すると（Ｓ２５１のＹＥＳ）、図１０に示すステップＳ１４１に進む。そして、第２の実施形態と同様に、図１０に示すようにして、判定部３８は、フレーム内カウント数に応じて累積カウント数を増減し、累積カウント数に応じた動作が実行されるよう制御する。本実施形態においても、第１〜第３のフレーム内カウント数に対応するようにして第１〜第３の累積カウント数があり、第１〜第３のフレーム内カウント数のそれぞれを読み込んで図１０に示した処理が行われる。また、累積カウント数と閾値ＴＸ、ＴＹ、ＴＺとの比較は、第１〜第３の累積カウント数のなかの最大値と閾値ＴＸ、ＴＹ、ＴＺとの比較を行う。
【０１０２】
第８の実施形態によれば、複数のフレームにわたるブロックの表示負荷率の変化を考慮し、表示負荷率の変化に応じて適切な階調表現方式に切り替え、動画指示輪郭の発生を低減することができる。
【０１０３】
（第９の実施形態）
次に、第９の実施形態における階調表現方式の切り替え処理について、図１６及び図１２を参照して説明する。
【０１０４】
図１６に示すように、まず、判定部３８は、Ｎフレーム目の入力データを基にブロック負荷率演算部３７により求められたＮフレームの各ブロックにおける表示負荷率を読み込む（Ｓ２６１）。なお、ブロック負荷率演算部３７により求めた各ブロックの表示負荷率は、ブロック負荷率演算部３７や判定部３８の内部に保持しておくようにしても良いし、図示しないメモリ等の記憶部に保持しておくようにしても良い。
【０１０５】
次に、判定部３８は、表示画面におけるｎ番目のブロックに係るＮフレームの表示負荷率と１つの前の（Ｎ−１）フレームの表示負荷率とを比較し（Ｓ２６２）、その差分が閾値ＴＡ以上であるか否かを判定する（Ｓ２６３）。判定の結果、ｎ番目のブロックに係るＮフレームの表示負荷率と（Ｎ−１）フレームの表示負荷率との差分が閾値ＴＡ以上である場合には（Ｓ２６３のＹＥＳ）、判定部３８は、その差分を第１の累積差分値に加算し（Ｓ２６４）、閾値ＴＡ以上でない場合には（Ｓ２６３のＮＯ）、第１の累積差分値を保持する。
【０１０６】
次に、判定部３８は、表示画面におけるｎ番目のブロックに係るＮフレームの表示負荷率と２つの前の（Ｎ−２）フレームの表示負荷率とを比較し（Ｓ２６５）、その差分が閾値ＴＢ以上であるか否かを判定する（Ｓ２６６）。判定の結果、ｎ番目のブロックに係るＮフレームの表示負荷率と（Ｎ−２）フレームの表示負荷率との差分が閾値ＴＢ以上である場合には（Ｓ２６６のＹＥＳ）、判定部３８は、その差分を第２の累積差分値に加算し（Ｓ２６７）、閾値ＴＢ以上でない場合には（Ｓ２６６のＮＯ）、第２の累積差分値を保持する。
【０１０７】
次に、判定部３８は、表示画面におけるｎ番目のブロックに係るＮフレームの表示負荷率と３つの前の（Ｎ−３）フレームの表示負荷率とを比較し（Ｓ２６８）、その差分が閾値ＴＣ以上であるか否かを判定する（Ｓ２６９）。判定の結果、ｎ番目のブロックに係るＮフレームの表示負荷率と（Ｎ−３）フレームの表示負荷率との差分が閾値ＴＣ以上である場合には（Ｓ２６９のＹＥＳ）、判定部３８は、その差分を第３の累積差分値に加算し（Ｓ２７０）、閾値ＴＣ以上でない場合には（Ｓ２６９のＮＯ）、第３の累積差分値を保持する。
【０１０８】
次に、判定部３８は、表示画面の全ブロックについて上述したフレーム間の表示負荷率の比較処理が終了したか否かを判断し（Ｓ２７１）、終了していない場合には（Ｓ２７１のＮＯ）、ｎの値を１インクリメントし（Ｓ２７２）、上述したステップＳ２６２に戻る。一方、全ブロックについて比較処理が終了した場合には（Ｓ２７１のＹＥＳ）、図１２に示すステップＳ１８１に進む。なお、ｎの値及び第１〜第３の累積差分値は、処理開始時において初期化されており、対象フレームの切り替え時にリセットされる。
【０１０９】
以降、第３の実施形態と同様に、図１２に示すようにして、判定部３８は、累積差分値に応じて累積カウント数を増減し、累積カウント数に応じた動作が実行されるよう制御する。ここで、本実施形態では、第１〜第３の累積差分値に対応するようにして第１〜第３の累積カウント数があり、第１〜第３の累積差分値のそれぞれを読み込んで図１２に示した処理が行われる。また、累積カウント数と閾値ＴＸ、ＴＹ、ＴＺとの比較は、第１〜第３の累積カウント数のなかの最大値と閾値ＴＸ、ＴＹ、ＴＺとの比較を行う。
【０１１０】
第９の実施形態によれば、複数のフレームにわたるブロックの表示負荷率の変化を考慮し、表示負荷率の変化に応じて適切な階調表現方式に切り替え、動画指示輪郭の発生を低減することができる。
【０１１１】
（第１０の実施形態）
次に、第１０の実施形態における階調表現方式の切り替え処理について、図１７及び図１８を参照して説明する。
【０１１２】
図１７に示すように、まず、判定部３８は、Ｎフレーム目の入力データを基にブロック負荷率演算部３７により求められたＮフレームの各ブロックにおける表示負荷率を読み込む（Ｓ２８１）。なお、ブロック負荷率演算部３７により求めた各ブロックの表示負荷率は、ブロック負荷率演算部３７や判定部３８の内部に保持しておくようにしても良いし、図示しないメモリ等の記憶部に保持しておくようにしても良い。
【０１１３】
次に、判定部３８は、表示画面におけるｎ番目のブロックに係るＮフレームの表示負荷率と１つの前の（Ｎ−１）フレームの表示負荷率とを比較し（Ｓ２８２）、その差分を基に差分が大きい順が並べ替えるソート処理を行う（Ｓ２８３）。
【０１１４】
次に、判定部３８は、表示画面の全ブロックについてＮフレームの表示負荷率と（Ｎ−１）フレームの表示負荷率との比較処理が終了したか否かを判断し（Ｓ２８４）、終了していない場合には（Ｓ２８４のＮＯ）、ｎの値を１インクリメントし（Ｓ２８５）、上述したステップＳ２８２に戻る。一方、全ブロックについて比較処理が終了した場合には（Ｓ２８４のＹＥＳ）、図１８に示すステップＳ３０１に進む。なお、ｎの値は、処理開始時において初期化されており、対象フレームの切り替え時にリセットされる。
【０１１５】
図１８に示すステップＳ３０１では、判定部３８は、上述した比較処理によりソートされたデータを基に、Ｎフレームの表示負荷率と（Ｎ−１）フレームの表示負荷率との差分が閾値ＴＡ以上であるブロック数が閾値ＴＢ個以上であるか否かを判定する。判定の結果、Ｎフレームの表示負荷率と（Ｎ−１）フレームの表示負荷率との差分が閾値ＴＡ以上であるブロック数が閾値ＴＢ個以上である場合には（Ｓ３０１のＹＥＳ）、判定部３８は、差分が閾値ＴＡ以上であるブロック数をカウントする（Ｓ３０２）。なお、このカウント数は、処理開始時において初期化されており、対象フレームの切り替え時にリセットされる。
【０１１６】
次に、判定部３８は、差分が閾値ＴＡ以上であるブロック数に係るカウント数を取り込み（Ｓ３０３）、取り込んだカウント数と閾値ＴＸ、ＴＹ、ＴＺとの比較を行う（Ｓ３０４、Ｓ３０６、Ｓ３０８）。ここで、閾値ＴＸ、ＴＹ、ＴＺは、ＴＸ＜ＴＹ＜ＴＺの関係を満たすように設定されている。
【０１１７】
その比較の結果、判定部３８は、カウント数が閾値ＴＸ未満である場合には（Ｓ３０４のＮＯ）、第１動作が実行されるよう制御し（Ｓ３０５）、カウント数が閾値ＴＸ以上かつ閾値ＴＹ未満である場合には（Ｓ３０６のＮＯ）、第２動作が実行されるよう制御する（Ｓ３０７）。また、カウント数が閾値ＴＹ以上かつ閾値ＴＺ未満である場合には（Ｓ３０８のＮＯ）、第３動作が実行されるよう制御し（Ｓ３０９）、カウント数が閾値ＴＺ以上である場合には（Ｓ３０８のＹＥＳ）、第４動作が実行されるよう制御する（Ｓ３１０）。
【０１１８】
第１０の実施形態によれば、フレーム間の表示負荷率の差分が閾値ＴＡ以上のブロック数が大きいほど動画擬似輪郭の発生する可能性が高いと判断し、動画擬似輪郭の発生しにくい階調表現方式で入力データに係る処理が行われるので、各ブロックの表示負荷率の変化に応じて速やかに適切な階調表現方式に切り替え、動画指示輪郭の発生を低減することができる。
【０１１９】
（第１１の実施形態）
次に、第１１の実施形態における階調表現方式の切り替え処理について、図１９、図２０Ａ、及び図２０Ｂを参照して説明する。
【０１２０】
図１９に示すように、まず、判定部３８は、Ｎフレーム目の入力データを基にブロック負荷率演算部３７により求められたＮフレームの各ブロックにおける表示負荷率を読み込む（Ｓ３２１）。なお、ブロック負荷率演算部３７により求めた各ブロックの表示負荷率は、ブロック負荷率演算部３７や判定部３８の内部に保持しておくようにしても良いし、図示しないメモリ等の記憶部に保持しておくようにしても良い。
【０１２１】
次に、判定部３８は、表示画面におけるｎ番目のブロックに係るＮフレームの表示負荷率と１つの前の（Ｎ−１）フレームの表示負荷率とを比較し（Ｓ３２２）、その差分を基に差分が大きい順が並べ替えるソート処理を行う（Ｓ３２３）。ここで、ステップＳ３２３でのソート処理後のデータをデータαとする。
【０１２２】
次に、判定部３８は、表示画面におけるｎ番目のブロックに係るＮフレームの表示負荷率と２つの前の（Ｎ−２）フレームの表示負荷率とを比較し（Ｓ３２４）、その差分を基に差分が大きい順が並べ替えるソート処理を行う（Ｓ３２５）。ここで、ステップＳ３２５でのソート処理後のデータをデータβとする。
【０１２３】
次に、判定部３８は、表示画面におけるｎ番目のブロックに係るＮフレームの表示負荷率と３つの前の（Ｎ−３）フレームの表示負荷率とを比較し（Ｓ３２６）、その差分を基に差分が大きい順が並べ替えるソート処理を行う（Ｓ３２７）。ここで、ステップＳ３２７でのソート処理後のデータをデータγとする。
【０１２４】
次に、判定部３８は、表示画面の全ブロックについて上述したフレーム間の表示負荷率の比較処理が終了したか否かを判断し（Ｓ３２８）、終了していない場合には（Ｓ３２８のＮＯ）、ｎの値を１インクリメントし（Ｓ３２９）、上述したステップＳ３２２に戻る。一方、全ブロックについて比較処理が終了した場合には（Ｓ３２８のＹＥＳ）、図２０Ａに示すステップＳ３４１に進む。なお、ｎの値は、処理開始時において初期化されており、対象フレームの切り替え時にリセットされる。
【０１２５】
図２０Ａに示すステップＳ３４１では、判定部３８は、上述した比較処理により得られたデータαを基に、Ｎフレームの表示負荷率と（Ｎ−１）フレームの表示負荷率との差分が閾値ＴＡ以上であるブロック数が閾値ＴＢ個以上であるか否かを判定する。判定の結果、Ｎフレームの表示負荷率と（Ｎ−１）フレームの表示負荷率との差分が閾値ＴＡ以上であるブロック数が閾値ＴＢ以上である場合には（Ｓ３４１のＹＥＳ）、判定部３８は、差分が閾値ＴＡ以上であるブロック数をカウントして所定値ＶＬを乗算し、カウント数ＶＣとする（Ｓ３４２）。なお、このカウント数ＶＣは、処理開始時において初期化されており、対象フレームの切り替え時にリセットされる。
【０１２６】
次に、判定部３８は、上述した比較処理により得られたデータβを基に、Ｎフレームの表示負荷率と（Ｎ−２）フレームの表示負荷率との差分が閾値ＴＤ以上であるブロック数が閾値ＴＥ個以上であるか否かを判定する（Ｓ３４３）。判定の結果、Ｎフレームの表示負荷率と（Ｎ−２）フレームの表示負荷率との差分が閾値ＴＤ以上であるブロック数が閾値ＴＥ個以上である場合には（Ｓ３４３のＹＥＳ）、判定部３８は、差分が閾値ＴＤ以上であるブロック数をカウントして所定値ＶＭを乗算し、カウント数ＶＦとする（Ｓ３４４）。なお、このカウント数ＶＦも、処理開始時において初期化されており、対象フレームの切り替え時にリセットされる。
【０１２７】
次に、判定部３８は、上述した比較処理により得られたデータγを基に、Ｎフレームの表示負荷率と（Ｎ−３）フレームの表示負荷率との差分が閾値ＴＧ以上であるブロック数が閾値ＴＨ個以上であるか否かを判定する（Ｓ３４５）。判定の結果、Ｎフレームの表示負荷率と（Ｎ−３）フレームの表示負荷率との差分が閾値ＴＧ以上であるブロック数が閾値ＴＨ個以上である場合には（Ｓ３４５のＹＥＳ）、判定部３８は、差分が閾値ＴＧ以上であるブロック数をカウントして所定値ＶＰを乗算し、カウント数ＶＪとする（Ｓ３４６）。なお、このカウント数ＶＪも、処理開始時において初期化されており、対象フレームの切り替え時にリセットされる。
【０１２８】
以上の処理が終了すると、図２０Ｂに示すステップＳ３４７に進む。なお、所定値ＶＬ、ＶＭ、ＶＰは、任意の値であり、例えば比較するフレームを考慮して設定される。
【０１２９】
図２０Ｂに示すステップＳ３４７では、判定部３８は、カウント数ＶＣ、ＶＦ、ＶＪを取り込み、取り込んだカウント数ＶＣ、ＶＦ、ＶＪと閾値ＴＸ、ＴＹ、ＴＺとの比較を行う（Ｓ３４８、Ｓ３５０、Ｓ３５２）。ここで、閾値ＴＸ、ＴＹ、ＴＺは、ＴＸ＜ＴＹ＜ＴＺの関係を満たすように設定されている。
【０１３０】
その比較の結果、判定部３８は、カウント数ＶＣ、ＶＦ、ＶＪのなかの最大値が閾値ＴＸ未満である場合には（Ｓ３４８のＮＯ）、第１動作が実行されるよう制御し（Ｓ３４９）、カウント数ＶＣ、ＶＦ、ＶＪのなかの最大値が閾値ＴＸ以上かつ閾値ＴＹ未満である場合には（Ｓ３５０のＮＯ）、第２動作が実行されるよう制御する（Ｓ３５１）。また、カウント数ＶＣ、ＶＦ、ＶＪのなかの最大値が閾値ＴＹ以上かつ閾値ＴＺ未満である場合には（Ｓ３５２のＮＯ）、第３動作が実行されるよう制御し（Ｓ３５３）、カウント数ＶＣ、ＶＦ、ＶＪのなかの最大値が閾値ＴＺ以上である場合には（Ｓ３５２のＹＥＳ）、第４動作が実行されるよう制御する（Ｓ３５４）。
【０１３１】
第１１の実施形態によれば、複数のフレームにわたるブロックの表示負荷率の変化を考慮し、表示負荷率の変化に応じて適切な階調表現方式に切り替え、動画指示輪郭の発生を低減することができる。
【０１３２】
（第１２の実施形態）
次に、第１２の実施形態における階調表現方式の切り替え処理について、図１７及び図２１を参照して説明する。
【０１３３】
第１０の実施形態と同様に、図１７に示すようにして、表示画面の全ブロックについてＮフレームの表示負荷率と（Ｎ−１）フレームの表示負荷率との比較処理を行い、全ブロックについて比較処理が終了すると（Ｓ２８４のＹＥＳ）、図２１に示すステップＳ３６１に進む。
【０１３４】
図２１に示すステップＳ３６１では、判定部３８は、上述した比較処理によりソートされたデータを基に、Ｎフレームの表示負荷率と（Ｎ−１）フレームの表示負荷率との差分が閾値ＴＡ以上であるブロック数が閾値ＴＢ個以上であるか否かを判定する。判定の結果、Ｎフレームの表示負荷率と（Ｎ−１）フレームの表示負荷率との差分が閾値ＴＡ以上であるブロック数が閾値ＴＢ個以上である場合には（Ｓ３６１のＹＥＳ）、判定部３８は、差分が閾値ＴＡ以上であるブロックにおける差分を累積加算する（Ｓ３６２）。なお、累積加算値は、処理開始時において初期化されており、対象フレームの切り替え時にリセットされる。
【０１３５】
次に、判定部３８は、差分が閾値ＴＡ以上であるブロックにおける差分を累積加算した累積差分値を取り込み（Ｓ３６３）、取り込んだ累積差分値と閾値ＴＸ、ＴＹ、ＴＺとの比較を行う（Ｓ３６４、Ｓ３６６、Ｓ３６８）。ここで、閾値ＴＸ、ＴＹ、ＴＺは、ＴＸ＜ＴＹ＜ＴＺの関係を満たすように設定されている。
【０１３６】
その比較の結果、判定部３８は、累積差分値が閾値ＴＸ未満である場合には（Ｓ３６４のＮＯ）、第１動作が実行されるよう制御し（Ｓ３６５）、累積差分値が閾値ＴＸ以上かつ閾値ＴＹ未満である場合には（Ｓ３６６のＮＯ）、第２動作が実行されるよう制御する（Ｓ３６７）。また、累積差分値が閾値ＴＹ以上かつ閾値ＴＺ未満である場合には（Ｓ３６８のＮＯ）、第３動作が実行されるよう制御し（Ｓ３６９）、累積差分値が閾値ＴＺ以上である場合には（Ｓ３６８のＹＥＳ）、第４動作が実行されるよう制御する（Ｓ３７０）。
【０１３７】
第１２の実施形態によれば、フレーム間の表示負荷率の差分に応じて速やかに適切な階調表現方式に切り替え、動画指示輪郭の発生を低減することができる。
【０１３８】
（第１３の実施形態）
次に、第１３の実施形態における階調表現方式の切り替え処理について、図１９、図２２Ａ、及び図２２Ｂを参照して説明する。
【０１３９】
第１１の実施形態と同様に、図１９に示すようにして、表示画面の全ブロックについてフレーム間の表示負荷率の比較処理を行い、全ブロックについて比較処理が終了すると（Ｓ３２８のＹＥＳ）、図２２Ａに示すステップＳ３８１に進む。
【０１４０】
図２２Ａに示すステップＳ３８１では、判定部３８は、上述した比較処理により得られたデータαを基に、Ｎフレームの表示負荷率と（Ｎ−１）フレームの表示負荷率との差分が閾値ＴＡ以上であるブロック数が閾値ＴＢ個以上であるか否かを判定する。判定の結果、Ｎフレームの表示負荷率と（Ｎ−１）フレームの表示負荷率との差分が閾値ＴＡ以上であるブロック数が閾値ＴＢ個以上である場合には（Ｓ３８１のＹＥＳ）、判定部３８は、差分が閾値ＴＡ以上であるブロックにおける差分を累積加算して所定値ＶＬを乗算し、累積差分値ＶＣとする（Ｓ３８２）。なお、累積差分値ＶＣは、処理開始時において初期化されており、対象フレームの切り替え時にリセットされる。
【０１４１】
次に、判定部３８は、上述した比較処理により得られたデータβを基に、Ｎフレームの表示負荷率と（Ｎ−２）フレームの表示負荷率との差分が閾値ＴＤ以上であるブロック数が閾値ＴＥ個以上であるか否かを判定する（Ｓ３８３）。判定の結果、Ｎフレームの表示負荷率と（Ｎ−２）フレームの表示負荷率との差分が閾値ＴＤ以上であるブロック数が閾値ＴＥ個以上である場合には（Ｓ３８３のＹＥＳ）、判定部３８は、差分が閾値ＴＤ以上であるブロックにおける差分を累積加算して所定値ＶＭを乗算し、累積差分値ＶＦとする（Ｓ３８４）。なお、累積差分値ＶＦは、処理開始時において初期化されており、対象フレームの切り替え時にリセットされる。
【０１４２】
次に、判定部３８は、上述した比較処理により得られたデータγを基に、Ｎフレームの表示負荷率と（Ｎ−３）フレームの表示負荷率との差分が閾値ＴＧ以上であるブロック数が閾値ＴＨ個以上であるか否かを判定する（Ｓ３８５）。判定の結果、Ｎフレームの表示負荷率と（Ｎ−３）フレームの表示負荷率との差分が閾値ＴＧ以上であるブロック数が閾値ＴＨ個以上である場合には（Ｓ３８５のＹＥＳ）、判定部３８は、差分が閾値ＴＧ以上であるブロックにおける差分を累積加算して所定値ＶＰを乗算し、累積差分値ＶＪとする（Ｓ３８６）。なお、累積差分値ＶＪは、処理開始時において初期化されており、対象フレームの切り替え時にリセットされる。
【０１４３】
以上の処理が終了すると、図２２Ｂに示すステップＳ３８７に進む。なお、所定値ＶＬ、ＶＭ、ＶＰは、任意の値であり、例えば比較するフレームを考慮して設定される。
【０１４４】
図２２Ｂに示すステップＳ３８７では、判定部３８は、累積差分値ＶＣ、ＶＦ、ＶＪを取り込み、取り込んだ累積差分値ＶＣ、ＶＦ、ＶＪと閾値ＴＸ、ＴＹ、ＴＺとの比較を行う（Ｓ３８８、Ｓ３９０、Ｓ３９２）。ここで、閾値ＴＸ、ＴＹ、ＴＺは、ＴＸ＜ＴＹ＜ＴＺの関係を満たすように設定されている。
【０１４５】
その比較の結果、判定部３８は、累積差分値ＶＣ、ＶＦ、ＶＪのなかの最大値が閾値ＴＸ未満である場合には（Ｓ３８８のＮＯ）、第１動作が実行されるよう制御し（Ｓ３８９）、累積差分値ＶＣ、ＶＦ、ＶＪのなかの最大値が閾値ＴＸ以上かつ閾値ＴＹ未満である場合には（Ｓ３９０のＮＯ）、第２動作が実行されるよう制御する（Ｓ３９１）。また、累積差分値ＶＣ、ＶＦ、ＶＪのなかの最大値が閾値ＴＹ以上かつ閾値ＴＺ未満である場合には（Ｓ３９２のＮＯ）、第３動作が実行されるよう制御し（Ｓ３９３）、累積差分値ＶＣ、ＶＦ、ＶＪのなかの最大値が閾値ＴＺ以上である場合には（Ｓ３９２のＹＥＳ）、第４動作が実行されるよう制御する（Ｓ３９４）。
【０１４６】
第１３の実施形態によれば、複数のフレームにわたるブロックの表示負荷率の変化を考慮し、表示負荷率の変化に応じて適切な階調表現方式に切り替え、動画指示輪郭の発生を低減することができる。
【０１４７】
（第１４の実施形態）
次に、第１４の実施形態における階調表現方式の切り替え処理について、図１７及び図２３を参照して説明する。
【０１４８】
第１０の実施形態と同様に、図１７に示すようにして、表示画面の全ブロックについてＮフレームの表示負荷率と（Ｎ−１）フレームの表示負荷率との比較処理を行い、全ブロックについて比較処理が終了すると（Ｓ２８４のＹＥＳ）、図２３に示すステップＳ４０１に進む。
【０１４９】
図２３に示すステップＳ４０１では、判定部３８は、上述した比較処理によりソートされたデータを基に、Ｎフレームの表示負荷率と（Ｎ−１）フレームの表示負荷率との差分が閾値ＴＡ以上であるブロック数が閾値ＴＢ個以上であるか否かを判定する。判定の結果、Ｎフレームの表示負荷率と（Ｎ−１）フレームの表示負荷率との差分が閾値ＴＡ以上であるブロック数が閾値ＴＢ個以上である場合には（Ｓ４０１のＹＥＳ）、判定部３８は、差分が閾値ＴＡ以上であるブロックにおける差分を累積加算する（Ｓ４０２）。なお、累積加算値は、処理開始時において初期化されており、対象フレームの切り替え時にリセットされる。
【０１５０】
次に、判定部３８は、差分が閾値ＴＡ以上であるブロックにおける差分を累積加算した累積差分値を取り込み（Ｓ４０３）、取り込んだ累積差分値が閾値ＴＷ以上であるか否かを判定する（Ｓ４０４）。判定の結果、累積差分値が閾値ＴＷ以上でない場合には（Ｓ４０４のＮＯ）、判定部３８は、前フレームからの累積カウント数から所定値ＶＱを減算し（Ｓ４０５）、閾値ＴＷ以上である場合には（Ｓ４０４のＹＥＳ）、累積カウント数に所定値ＶＲを加算する（Ｓ４０６）。
【０１５１】
次に、判定部３８は、累積カウント数と閾値ＴＸ、ＴＹ、ＴＺとの比較を行う（Ｓ４０７、Ｓ４０９、Ｓ４１１）。ここで、閾値ＴＸ、ＴＹ、ＴＺは、ＴＸ＜ＴＹ＜ＴＺの関係を満たすように設定されている。
【０１５２】
その比較の結果、判定部３８は、累積カウント数が閾値ＴＸ未満である場合には（Ｓ４０７のＮＯ）、第１動作が実行されるよう制御し（Ｓ４０８）、累積カウント数が閾値ＴＸ以上かつ閾値ＴＹ未満である場合には（Ｓ４０９のＮＯ）、第２動作が実行されるよう制御する（Ｓ４１０）。また、累積カウント数が閾値ＴＹ以上かつ閾値ＴＺ未満である場合には（Ｓ４１１のＮＯ）、第３動作が実行されるよう制御し（Ｓ４１２）、累積カウント数が閾値ＴＺ以上である場合には（Ｓ４１１のＹＥＳ）、第４動作が実行されるよう制御する（Ｓ４１３）。
【０１５３】
第１４の実施形態によれば、複数のフレームにわたるブロックの表示負荷率の変化を考慮し、表示負荷率の変化に応じて適切な階調表現方式に切り替え、動画指示輪郭の発生を低減することができる。
【０１５４】
（第１５の実施形態）
次に、第１５の実施形態における階調表現方式の切り替え処理について、図１９、図２４Ａ、及び図２４Ｂを参照して説明する。
【０１５５】
第１１の実施形態と同様に、図１９に示すようにして、表示画面の全ブロックについてフレーム間の表示負荷率の比較処理を行い、全ブロックについて比較処理が終了すると（Ｓ３２８のＹＥＳ）、図２４Ａに示すステップＳ４２１に進む。
【０１５６】
図２４Ａに示すステップＳ４２１では、判定部３８は、上述した比較処理により得られたデータαを基に、Ｎフレームの表示負荷率と（Ｎ−１）フレームの表示負荷率との差分が閾値ＴＡ以上であるブロック数が閾値ＴＢ個以上であるか否かを判定する。判定の結果、Ｎフレームの表示負荷率と（Ｎ−１）フレームの表示負荷率との差分が閾値ＴＡ以上であるブロック数が閾値ＴＢ個以上である場合には（Ｓ４２１のＹＥＳ）、判定部３８は、差分が閾値ＴＡ以上であるブロックにおける差分を累積加算して所定値ＶＬを乗算し、累積差分値ＶＣとする（Ｓ４２２）。なお、累積差分値ＶＣは、処理開始時において初期化されており、対象フレームの切り替え時にリセットされる。
【０１５７】
次に、判定部３８は、上述した比較処理により得られたデータβを基に、Ｎフレームの表示負荷率と（Ｎ−２）フレームの表示負荷率との差分が閾値ＴＤ以上であるブロック数が閾値ＴＥ個以上であるか否かを判定する（Ｓ４２３）。判定の結果、Ｎフレームの表示負荷率と（Ｎ−２）フレームの表示負荷率との差分が閾値ＴＤ以上であるブロック数が閾値ＴＥ個以上である場合には（Ｓ４２３のＹＥＳ）、判定部３８は、差分が閾値ＴＤ以上であるブロックにおける差分を累積加算して所定値ＶＭを乗算し、累積差分値ＶＦとする（Ｓ４２４）。なお、累積差分値ＶＦは、処理開始時において初期化されており、対象フレームの切り替え時にリセットされる。
【０１５８】
次に、判定部３８は、上述した比較処理により得られたデータγを基に、Ｎフレームの表示負荷率と（Ｎ−３）フレームの表示負荷率との差分が閾値ＴＧ以上であるブロック数が閾値ＴＨ個以上であるか否かを判定する（Ｓ４２５）。判定の結果、Ｎフレームの表示負荷率と（Ｎ−３）フレームの表示負荷率との差分が閾値ＴＧ以上であるブロック数が閾値ＴＨ個以上である場合には（Ｓ４２５のＹＥＳ）、判定部３８は、差分が閾値ＴＧ以上であるブロックにおける差分を累積加算して所定値ＶＰを乗算し、累積差分値ＶＪとする（Ｓ４２６）。なお、累積差分値ＶＪは、処理開始時において初期化されており、対象フレームの切り替え時にリセットされる。
【０１５９】
以上の処理が終了すると、図２４Ｂに示すステップＳ４２７に進む。なお、所定値ＶＬ、ＶＭ、ＶＰは、任意の値であり、例えば比較するフレームを考慮して設定される。
【０１６０】
図２４Ｂに示すステップＳ４２７では、判定部３８は、累積差分値ＶＣ、ＶＦ、ＶＪを取り込み、取り込んだ累積差分値ＶＣ、ＶＦ、ＶＪの各々について閾値ＴＷ以上であるか否かを判定する（Ｓ４２８）。判定の結果、累積差分値ＶＣが閾値ＴＷ以上でない場合には（Ｓ４２８のＮＯ）、判定部３８は、前フレームからの第１の累積カウント数から所定値ＶＱを減算し（Ｓ４２９）、閾値ＴＷ以上である場合には（Ｓ４２８のＹＥＳ）、第１の累積カウント数に所定値ＶＲを加算する（Ｓ４３０）。また、累積差分値ＶＦが閾値ＴＷ以上でない場合には（Ｓ４２８のＮＯ）、判定部３８は、前フレームからの第２の累積カウント数から所定値ＶＱを減算し（Ｓ４２９）、閾値ＴＷ以上である場合には（Ｓ４２８のＹＥＳ）、第２の累積カウント数に所定値ＶＲを加算する（Ｓ４３０）。同様に、累積差分値ＶＪが閾値ＴＷ以上でない場合には（Ｓ４２８のＮＯ）、判定部３８は、前フレームからの第３の累積カウント数から所定値ＶＱを減算し（Ｓ４２９）、閾値ＴＷ以上である場合には（Ｓ４２８のＹＥＳ）、第３の累積カウント数に所定値ＶＲを加算する（Ｓ４３０）。
【０１６１】
次に、判定部３８は、第１〜第３の累積カウント数と閾値ＴＸ、ＴＹ、ＴＺとの比較を行う（Ｓ４３１、Ｓ４３３、Ｓ４３５）。ここで、閾値ＴＸ、ＴＹ、ＴＺは、ＴＸ＜ＴＹ＜ＴＺの関係を満たすように設定されている。
【０１６２】
その比較の結果、判定部３８は、第１〜第３の累積カウント数のなかの最大値が閾値ＴＸ未満である場合には（Ｓ４３１のＮＯ）、第１動作が実行されるよう制御し（Ｓ４３２）、第１〜第３の累積カウント数のなかの最大値が閾値ＴＸ以上かつ閾値ＴＹ未満である場合には（Ｓ４３３のＮＯ）、第２動作が実行されるよう制御する（Ｓ４３４）。また、第１〜第３の累積カウント数のなかの最大値が閾値ＴＹ以上かつ閾値ＴＺ未満である場合には（Ｓ４３５のＮＯ）、第３動作が実行されるよう制御し（Ｓ４３６）、第１〜第３の累積カウント数のなかの最大値が閾値ＴＺ以上である場合には（Ｓ４３５のＹＥＳ）、第４動作が実行されるよう制御する（Ｓ４３７）。
【０１６３】
第１５の実施形態によれば、複数のフレームにわたるブロックの表示負荷率の変化を考慮し、表示負荷率の変化に応じて適切な階調表現方式に切り替え、動画指示輪郭の発生を低減することができる。
【０１６４】
なお、上述した階調表示方法の切り替え処理においては、ユーザに認識される切り替え前の階調表示方法と切り替え後の階調表示方法での画質変化（切り替えショック）を低減するために、第１動作から第３動作や第４動作から第２動作といった２段階を超える切り替えは行わずに、第１動作と第２動作間、第２動作と第３動作間、及び第３動作と第４動作間での切り替え（段階的な切り替え）を行うことが望ましい。例えば、複数個の異なる階調表現方式があり、それぞれを第ｐ階調表現方式と表現した場合にｐの値の増加方向又は減少方向の一方向に動画擬似輪郭が発生しにくくなる（例えば、実表示階調数が少なくなる）場合には、第ｐ階調表現方式で動作を行っている場合には、第（ｐ−１）階調表現方式又は第（ｐ＋１）階調表現方式のみ切り替えるように制御することが望ましい。この制御は、例えば累積カウント数やＶカウント数を用いて制御を行っている場合には、所定値ＶＱやＶＲの値を、閾値ＴＸとＴＹの差及び閾値ＴＹとＴＺの差より小さくすることで実現することができる。
【０１６５】
また、上述した実施形態では、切り替え可能な（選択可能な）階調表示方法は４つとしているが、一例であってこれに限定されるものではなく、複数（例えば、２つや３つであっても良いし、４つ以上であってもよい。）であれば良い。
【０１６６】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【０１６７】
【図１】本発明の実施形態におけるプラズマディスプレイ装置の構成例を示す図である。
【図２】本発明の実施形態におけるプラズマディスプレイパネルの構成例を示す図である。
【図３】プラズマディスプレイ装置の駆動方法について説明するための図である。
【図４】本発明の実施形態における制御回路の構成例を示す図である。
【図５】本発明の実施形態におけるプラズマディスプレイ装置の点灯表の一例を示す図である。
【図６】本発明の実施形態における表示画面のブロック分割の一例を示す図である。
【図７】プラズマディスプレイパネルの熱破壊や焼付の防止を実現するための制御回路の構成例を示す図である。
【図８】第１、第２、及び第４の実施形態における切り替え処理の一例を示すフローチャートである。
【図９】第１の実施形態における切り替え処理の一例を示すフローチャートである。
【図１０】第２、第６、及び第８の実施形態における切り替え処理の一例を示すフローチャートである。
【図１１】第３の実施形態における切り替え処理の一例を示すフローチャートである。
【図１２】第３及び第９の実施形態における切り替え処理の一例を示すフローチャートである。
【図１３】第４、第５、及び第７の実施形態における切り替え処理の一例を示すフローチャートである。
【図１４】第５及び第６の実施形態における切り替え処理の一例を示すフローチャートである。
【図１５】第７及び第８の実施形態における切り替え処理の一例を示すフローチャートである。
【図１６】第９の実施形態における切り替え処理の一例を示すフローチャートである。
【図１７】第１０、第１２、及び第１４の実施形態における切り替え処理の一例を示すフローチャートである。
【図１８】第１０の実施形態における切り替え処理の一例を示すフローチャートである。
【図１９】第１１、第１３、及び第１５の実施形態における切り替え処理の一例を示すフローチャートである。
【図２０Ａ】第１１の実施形態における切り替え処理の一例を示すフローチャートである。
【図２０Ｂ】第１１の実施形態における切り替え処理の一例を示すフローチャートである。
【図２１】第１２の実施形態における切り替え処理の一例を示すフローチャートである。
【図２２Ａ】第１３の実施形態における切り替え処理の一例を示すフローチャートである。
【図２２Ｂ】第１３の実施形態における切り替え処理の一例を示すフローチャートである。
【図２３】第１４の実施形態における切り替え処理の一例を示すフローチャートである。
【図２４Ａ】第１５の実施形態における切り替え処理の一例を示すフローチャートである。
【図２４Ｂ】第１５の実施形態における切り替え処理の一例を示すフローチャートである。
【符号の説明】
【０１６８】
１  プラズマディスプレイパネル
２  Ｘ駆動回路
３  Ｙ駆動回路
４  アドレス駆動回路
５  制御回路
３１  映像処理部
３２〜３５  処理部
３６  切り替え部
３７  ブロック負荷率演算部
３８  判定部
３９  データ出力部
４０  表示波形生成部
【図１】
2010134365.tif 000003
【図２】
2010134365.tif 000004
【図３】
2010134365.tif 000005
【図４】
2010134365.tif 000006
【図５】
2010134365.tif 000007
【図６】
2010134365.tif 000008
【図７】
2010134365.tif 000009
【図８】
2010134365.tif 000010
【図９】
2010134365.tif 000011
【図１０】
2010134365.tif 000012
【図１１】
2010134365.tif 000013
【図１２】
2010134365.tif 000014
【図１３】
2010134365.tif 000015
【図１４】
2010134365.tif 000016
【図１５】
2010134365.tif 000017
【図１６】
2010134365.tif 000018
【図１７】
2010134365.tif 000019
【図１８】
2010134365.tif 000020
【図１９】
2010134365.tif 000021
【図２０Ａ】
2010134365.tif 000022
【図２０Ｂ】
2010134365.tif 000023
【図２１】
2010134365.tif 000024
【図２２Ａ】
2010134365.tif 000025
【図２２Ｂ】
2010134365.tif 000026
【図２３】
2010134365.tif 000027
【図２４Ａ】
2010134365.tif 000028
【図２４Ｂ】
2010134365.tif 000029